(57)【要約】【課題】  コンセントとプラグ間の差し込み状態を検出し不完全な差し込み状態を通知することができる電気的接続装置、コンセントプラグシステム及びコンセントを提供する【解決手段】  コンセント２０２とプラグ２０１の差し込み状態を検出する接続状態検出部を設け、コンセントにプラグが差し込まれてはいるが、完全に差し込まれていない状態を検出する。完全に差し込まれていない状態を検出すると、制御部が報知部の制御を行い、使用者に対して完全に差し込まれていないプラグがあることを知らせる。【選択図】図１
2006073426.tif 000002
【特許請求の範囲】
【請求項１】
少なくとも、第１接続部と第２接続部との間での不完全な接続状態を検出する接続状態検出部と、
前記第１接続部と前記第２接続部との電気的接続状態を知らせる報知部と、
前記接続状態検出部の検出結果により前記報知部を制御する制御部と、
を備えたことを特徴とする電気的接続装置。
【請求項２】
請求項１に記載の電気的接続装置において、
前記第１接続部はプラグであり、前記第２接続部は前記プラグが差し込まれるコンセントであることを特徴とするコンセントプラグシステム。
【請求項３】
前記プラグと前記コンセントの間の導通を制御する導通制御部をさらに備え、
前記制御部は、前記接続状態検出部の検出結果により前記報知部の他に、前記導通制御部をも導通制御することを特徴とする請求項２に記載のコンセントプラグシステム。
【請求項４】
前記コンセントに接続される前記プラグを有する機器の動作制御を行う機器制御部をさらに備え、
前記接続状態検出部の検出結果により、前記制御部は、前記導通制御部と前記機器制御部とをそれぞれ動作制御することを特徴とする請求項３に記載のコンセントプラグシステム。
【請求項５】
プラグの接続状態を検出する接続状態検出部と、
前記プラグの接続状態を知らせる報知部と、
前記接続状態検出部の検出結果により前記報知部を制御する制御部と、
を備えたことを特徴とするコンセント。
【発明の詳細な説明】
【技術分野】
【０００１】
本発明は、接続部同士、例えばコンセントにプラグが完全に差し込まれていない状態を検出して使用者に警告を発する電気的接続装置、具体的には、コンセントプラグシステム及びコンセントに関する。
【背景技術】
【０００２】
コンセントとプラグ間に起こるトラッキング現象などにより、毎年数多くの火災の発生が懸念されている。火災の原因としては、コンセントにプラグが完全に差し込まれていない状態の放置が考えられるが、この事に関して一般的に認識されていない傾向にある。また、この事実を認識していたとしても、コンセントとプラグ間のチェックや、外出時などにプラグをコンセントから抜くような習慣が根付いていないのが現状である。
【０００３】
ここで特許文献１では、プラグが完全に差し込まれていないコンセントの導通制御による感電防止に関する技術が開示されている。その手段として、プラグがプラグソケットに差し込まれたことを検出するプラグ検出手段と、このプラグ検出手段から出力する検出信号を受けて供給電源と上記プラグソケットとの間の導通を制御する導通制御部とを備えることにより、プラグが完全に差し込まれていないときには導通を遮断するものである。
【０００４】
【特許文献１】特開平９−３０６５７９号公報
【発明の開示】
【発明が解決しようとする課題】
【０００５】
しかしながら、前記特許文献１の技術では、プラグがプラグソケットに完全に差し込まれているか、完全に差し込まれていないかの二段階でしかプラグの差し込み具合を検出しておらず、プラグがプラグソケットに完全に差し込まれていないと導通させないという構成となっている。
【０００６】
この構成では、機器の電源が切れたとき、プラグが完全に差し込まれていないのか、機器の故障なのかの判別がつきにくい、また、コードの重みなどによりプラグが少しでも外れると導通が遮断され機器の電源が急に切れてしまう恐れがあり、ビデオの録画や冷蔵庫の食品保存など一時でも電源が切れてほしくない機器に関しては不向きであった。
【０００７】
とは言え、コンセントにプラグが完全に差し込まれていない状態をそのまま放置しておくことは上述したように火災の原因となるため危険である。そこで、コンセントにプラグが完全に差し込まれていないときにのみ、使用者にその旨を通知することが重要な課題となっている。
【０００８】
前記特許文献１では、コンセントにプラグが差し込まれていないのか、完全には差し込まれていないのか、の違いを検出することができないため、この課題を解決できない。
【０００９】
そこで本発明は、前記課題を解決するためになされ、その目的とするところは、コンセントに対するプラグの差し込み具合を検出し、コンセントにプラグが完全に差し込まれていない状態のときに使用者にその旨を通知する電気的接続装置、コンセントプラグシステム及びコンセントを提供することにある。
【課題を解決するための手段】
【００１０】
上記目的を達成するために、本発明は以下のように構成する。
【００１１】
本発明の第１態様によれば、少なくとも、第１接続部と第２接続部との間での不完全な接続状態を検出する接続状態検出部と、
前記第１接続部と前記第２接続部との電気的接続状態を知らせる報知部と、
前記接続状態検出部の検出結果により前記報知部を制御する制御部と、
を備えたことを特徴とする電気的接続装置を提供する。
【００１２】
本発明の第２態様によれば、第１の態様に記載の電気的接続装置において、
前記第１接続部はプラグであり、前記第２接続部は前記プラグが差し込まれるコンセントであることを特徴とするコンセントプラグシステムを提供する。
【００１３】
本発明の第５態様によれば、プラグの接続状態を検出する接続状態検出部と、
前記プラグの接続状態を知らせる報知部と、
前記接続状態検出部の検出結果により前記報知部を制御する制御部と、
を備えたことを特徴とするコンセントを提供する。
【発明の効果】
【００１４】
以上のように、本発明は、第１接続部と第２接続部との間での不完全な接続状態を検出する接続状態検出部を備え、前記接続状態検出部の検出結果により前記報知部を制御部で制御することにより、第１接続部と第２接続部との間が不完全な接続状態の場合に、報知を行うことができ、第１接続部と第２接続部との間の不完全な接続状態を使用者に知らせることができる。具体的には、プラグの電気的接続状態に応じて報知を行うという構成により、コンセントにプラグが完全に差し込まれていない状態を検出することで使用者にその旨を知らせることができる。
【発明を実施するための最良の形態】
【００１５】
以下に、本発明にかかる実施の形態を図面に基づいて詳細に説明する前に、本発明の種々の態様について説明する。
【００１６】
本発明の第１態様によれば、少なくとも、第１接続部と第２接続部との間での不完全な接続状態を検出する接続状態検出部と、
前記第１接続部と前記第２接続部との電気的接続状態を知らせる報知部と、
前記接続状態検出部の検出結果により前記報知部を制御する制御部と、
を備えたことを特徴とする電気的接続装置を提供する。
【００１７】
この構成によると、本発明の電気的接続装置は、第１接続部と第２接続部との間での不完全な接続状態を検出することで使用者にその旨を知らせることができる。
【００１８】
本発明の第２態様によれば、第１の態様に記載の電気的接続装置において、
前記第１接続部はプラグであり、前記第２接続部は前記プラグが差し込まれるコンセントであることを特徴とするコンセントプラグシステムを提供する。
【００１９】
この構成によると、本発明のコンセントプラグシステムは、プラグが完全に差し込まれていない状態を検出することで使用者にその旨を知らせることができる。
【００２０】
本発明の第３態様によれば、前記プラグと前記コンセントの間の導通を制御する導通制御部をさらに備え、
前記制御部は、前記接続状態検出部の検出結果により前記報知部の他に、前記導通制御部をも導通制御することを特徴とする第２の態様に記載のコンセントプラグシステムを提供する。
【００２１】
この構成によると、本発明のコンセントプラグシステムは、プラグが完全に差し込まれていない状態を検出し、例えばある一定の期間が過ぎても状態が改善されない場合に、制御部によって導通制御部を制御して導通を遮断することが可能であり、火災予防につなげることができる。
【００２２】
本発明の第４態様によれば、前記コンセントに接続される前記プラグを有する機器の動作制御を行う機器制御部をさらに備え、
前記接続状態検出部の検出結果により、前記制御部は、前記導通制御部と前記機器制御部とをそれぞれ動作制御することを特徴とする第３の態様に記載のコンセントプラグシステムを提供する。
【００２３】
この構成によると、本発明のコンセントプラグシステムは、プラグが完全に差し込まれていない状態を検出し、使用者にその旨を知らせることにより、前記プラグが差し込まれているコンセントの導通を遮断するかどうかを使用者が決定することが可能である。また、機器の動作制御も行うことができるので、ちょっとした外出中では機器の一例としての冷蔵庫のプラグが抜けかかっても導通を遮断する必要はなく、機器の別の例としてのビデオの録画中にプラグが抜けかかってもビデオの録画が終了してから導通を遮断することが可能である。
【００２４】
本発明の第５態様によれば、プラグの接続状態を検出する接続状態検出部と、
前記プラグの接続状態を知らせる報知部と、
前記接続状態検出部の検出結果により前記報知部を制御する制御部と、
を備えたことを特徴とするコンセントを提供する。
【００２５】
この構成によると、本発明のコンセントは、プラグ側には何ら特別な装置を組み込むことなく、汎用のプラグを使用していても、プラグが完全に差し込まれていない状態を検出することができて、使用者にその旨を知らせることができる。
【００２６】
以下、本発明の実施形態を、図面を参照しながら説明する。
（第１実施形態）
図１は第１実施形態に記載のコンセントプラグシステムのブロック図である。
【００２７】
本システムは、電気機器側備えられかつ第１接続部の一例としてのプラグ１０１と、プラグ１０１が差し込まれて電気的接続が行われて電力をプラグ１０１に供給する、第２接続部の一例としてのコンセント１０２と、プラグ１０１とコンセント１０２の電気的接続状態を検出する接続状態検出部１０３と、前記プラグ１０１と前記コンセント１０２との電気的接続状態を知らせる報知部１０４と、前記接続状態検出部１０３の検出結果により前記報知部１０４を制御する制御部１０５とより構成される。
【００２８】
接続状態検出部１０３は、コンセント１０２に対するプラグ１０１の差し込み具合を検出し、その結果を制御部１０５に出力する。
【００２９】
制御部１０５は接続状態検出部１０３からの出力に基づいて報知部１０４の制御を行う。報知部１０４の具体例としては、アラーム音を発生させる警告音発生装置、警告ランプ又はＬＥＤを点灯又は点滅させる警告照明装置、ディスプレイに警告を表示する警告表示装置などが挙げられる。
【００３０】
図２は第１実施形態に記載のコンセントプラグシステムの具体的な構成例を示す図であり、前記接続状態検出部１０３として、磁石２０３と複数のリードスイッチ２０４と２０５を用いる例である。
【００３１】
本システムは、プラグ２０１（プラグ１０１に相当。）と、コンセント２０２（コンセント１０２に相当。）と、プラグ２０１に備えられた磁石２０３と、コンセント２０２の差し込み口の奥側に備えられた第１リードスイッチ２０４と、コンセント２０２の差し込み口の入口側に備えられた第２リードスイッチ２０５と、第１リードスイッチ２０４と第２リードスイッチ２０５とからの出力が入力可能に接続された制御部２０９と、第１リードスイッチ２０４と第２リードスイッチ２０５とからの出力結果に基づき制御部２０９により動作制御されてプラグ２０１とコンセント２０２との間の不完全な接続を報知する報知部２０８とを備えて構成される。
【００３２】
前記プラグ２０１は、一対の電気的接続端子２０１ａを有している。
【００３３】
前記コンセント２０２は、プラグ２０１の一対の電気的接続端子２０１ａがそれぞれ差し込まれる一対の差し込み口２０２ｂを有するとともに、それぞれの差し込み口２０２ｂ内に、それぞれの電気的接続端子２０１ａが電気的に接続可能な電気的接続端子２０２ａを有して、両方の接続端子２０１ａ，２０２ａが接触することにより電気的接続が行われて電力をプラグ２０１に供給するようにしている。
【００３４】
前記磁石２０３は、プラグ２０１の一方の電気的接続端子２０１ａの先端に固定されている。
【００３５】
前記第１リードスイッチ２０４は、コンセント２０２の差し込み口２０２ｂ内の電気的接続端子２０２ａの最奥部の近傍に配置されており、差し込み口２０２ｂ内に差し込まれたプラグ２０１の一方の電気的接続端子２０１ａの先端の磁石２０３がある距離以内に近づくと、オンとなることにより、磁石２０３を検出する。
【００３６】
また、前記第２リードスイッチ２０５は、コンセント２０２の差し込み口２０２ｂ内の電気的接続端子２０２ａの差し込み口近傍に配置されており、差し込み口２０２ｂ内に差し込まれたプラグ２０１の一方の電気的接続端子２０１ａの先端の磁石２０３がある距離以内に近づくと、オンとなることにより、磁石２０３を検出する。  このように、磁石２０３をプラグ２０１の先端に設置し、第１リードスイッチ２０４をプラグ２０１の差し込まれる奥に設置し、第２リードスイッチ２０５をプラグ２０１の差し込まれる入り口（差し込み口）に設置しておくことにより、第１リードスイッチ反応域２０６は、プラグ２０１がコンセント２０２に完全に差し込まれているときにのみ第１リードスイッチ２０４が磁石２０３に反応してスイッチが入る部分となり、第２リードスイッチ反応域２０７は、プラグ２０１がコンセント２０２に差し込まれてはいるが、完全に差し込まれていないときに第２リードスイッチ２０５が磁石２０３に反応してスイッチが入る部分となる。このとき、第２リードスイッチ反応域２０７と第１リードスイッチ反応域２０６とは隣接して配置、第２リードスイッチ反応域２０７と第１リードスイッチ反応域２０６との間にプラグ２０１の磁石２０３が位置しても、第２リードスイッチ反応域２０７と第１リードスイッチ反応域２０６とのいずれかの反応域で反応して、いずれかのリードスイッチがオンになるようにし、両方のリードスイッチがオフにならないようにする。
【００３７】
前記制御部２０９は、コンセント２０２に備えられ、第１リードスイッチ２０４と第２リードスイッチ２０５とにそれぞれ電気的に接続され、第１リードスイッチ２０４のオン又はオフ、及び、第２リードスイッチ２０５のオン又はオフを検出することにより、コンセント２０２に対するプラグ２０１の差し込み状態を検出する。すなわち、制御部２０９に第１リードスイッチ２０４から出力があった場合（第１リードスイッチ２０４がオンとなった場合）、プラグ２０１はコンセント２０２に完全に差し込まれている状態を示しているため、制御部２０９は、コンセント２０２に備えられた報知部２０８を報知動作制御することはない。
【００３８】
制御部２０９に第２リードスイッチ２０５から出力があった場合（第２リードスイッチ２０５がオンとなった場合）、プラグ２０１はコンセント２０２に完全に差し込まれていない状態を示しているため、制御部２０９は報知部２０８を制御し、報知部２０８は使用者に対して警告を発し、完全に差し込まれていないプラグがあることを知らせる。
【００３９】
図３は、図２の構成を用いる第１実施形態のコンセントプラグシステムのフローチャートである。
【００４０】
制御部２０８は、まず、ステップＳ３０１で、第２リードスイッチ２０５がオンであるか否かを検出し、第２リードスイッチ２０５がオンになるまで待つ。すなわち、プラグ２０１がコンセント２０２に全く差し込まれていないときには、第１リードスイッチ２０４と第２リードスイッチ２０５は、プラグ２０１に備えられている磁石２０３に反応しないので、第１リードスイッチ２０４と第２リードスイッチ２０５の状態は共にオフとなっている。このとき、コンセント２０２とプラグ２０１との間には電気的接続は全く無いため火災の危険性は無く、制御部２０９は報知部２０８を制御する必要がない。
【００４１】
なお、ステップＳ３０１で第２リードスイッチ２０５がオフの場合には、ステップＳ３０４に進み、制御部２０９により、報知部２０８が報知をしていた場合にはその報知を停止させる。これは、たとえば、プラグ２０１をコンセント２０２に奥まで完全に差し込んでいない状態から、プラグ２０１をコンセント２０２から抜き出したとき、第２リードスイッチ２０５が一旦オンになったのち第２リードスイッチ２０５がオフになる。このような場合には、後述するように、制御部２０９により報知部２０８が動作制御されて報知動作を行っているので、その報知を停止させるようにする。
【００４２】
プラグ２０１をコンセント２０２に差し込み始めたときには、プラグ２０１の先端の磁石２０３が第２リードスイッチ反応域２０７内に入り、第２リードスイッチ２０５のみがオンとなる（ステップＳ３０１でＹｅｓの場合となる）が、磁石２０３は第１リードスイッチ反応域２０６内には入っていないため第１リードスイッチ２０４はオフのままである（ステップＳ３０２でＮｏの場合となる）。この状態は、プラグ２０１がコンセント２０２に差し込み動作中の場合や、プラグ２０１をコンセント２０２に奥まで完全に差し込んでいない場合や、プラグ２０１をコンセント２０２に差し込んだ後にコードに重みなどによって自然とプラグ２０１がコンセント２０２から抜けかかった場合など、プラグ２０１がコンセント２０２に中途半端に差し込まれている状態にあるときであり、コンセント２０２の差し込み口に設置された第２リードスイッチ２０５だけがプラグ２０１に備えられている磁石２０３に反応してオンになる場合である。このとき、コンセント２０２とプラグ２０１間には電気的接続がなされているため火災の発生が懸念され、制御部２０９が報知部２０８を動作制御して、使用者にコンセント２０２にプラグ２０１が完全に差し込まれていないことを報知する（ステップＳ３０３）。
【００４３】
なお、第２リードスイッチ２０５だけがオンになってから、所定時間（例えば、数秒）経過後に、再度、第２リードスイッチ２０５だけがオンか否か（言い換えれば、第１リードスイッチ２０４もオンになっていないか）を検出し、第２リードスイッチ２０５だけがオンの場合のみ、制御部２０９が報知部２０８を動作制御するようにしてもよい。このようにすれば、差し込み動作開始直後の差し込み動作中に、報知部２０８による報知を省略することにより、差し込み動作開始毎に報知（例えば警告音の発生）がなされるといった煩わしさを回避することも可能である。
【００４４】
プラグ２０１がコンセント２０２に完全に差し込まれているときには、プラグ２０１に備えられている磁石２０３が第１リードスイッチ反応域２０６内に入ることにより、コンセント２０２の奥に設置された第１リードスイッチ２０４が、プラグ２０１に備えられている磁石２０３に反応してオンになる（ステップＳ３０２でＹｅｓの場合となる）。このとき、コンセント２０２とプラグ２０１との間には電気的接続がなされていても火災の危険性は極めて低いため、制御部２０９は報知部２０８を報知動作制御しない。すなわち、Ｓ３０２で制御部２０９の制御により報知部２０８が行っていた報知をＳ３０４で停止させる。尚、第１リードスイッチ２０４がオンになっていれば、第２リードスイッチ２０５はオンになっていてもオフになっていても制御部２０９は報知部２０８を報知動作制御はしない。
【００４５】
このように第１実施形態によれば、コンセント２０２の差し込み口内に、プラグ２０１の差し込み方向沿いに、第２リードスイッチ２０５と第１リードスイッチ２０４とを隣接して配置して、プラグ２０１の先端の磁石２０３が第２リードスイッチ２０５と第１リードスイッチ２０４とを順にオンにするように構成している。このため、プラグ２０１をコンセント２０２に差し込み始めて、プラグ２０１がコンセント２０２に完全に差し込まれるまでの間の不完全な差し込み状態は、第２リードスイッチ２０５のみがオンとなっている状態として検出することができる。従って、制御部２０９は、このような第２リードスイッチ２０５のみがオンとなっている状態のとき、報知部２０８を動作制御して、使用者に、差し込みが不完全であることを報知するようにすることができる。
【００４６】
次に、図４は、第１実施形態の変形例にかかるコンセントプラグシステムであり、前記接続状態検出部の別の例として、コンセント４０２の差し込み口の近傍でかつプラグ差し込み方向沿いに配置されかつ制御部４０７に検出結果を出力するタグリーダ４０５を備えるとともに、コンセント４０２（コンセント１０２に相当）の差し込み口内の接続端子４０２ａの最奥部に非導電部材（電気的絶縁体）４０８を介してタグ本体部４０４を設ける一方、コンセント４０２の接続端子４０２ａに電気的に接続可能なプラグ４０１（プラグ１０１に相当）の接続端子４０１ａの先端でかつタグ本体部４０４に結合可能な位置に非導電部材（電気的絶縁体）４０８を介してタグ断片部４０３が設けられて、タグ本体部４０４に対してタグ断片部４０３が結合しているか又は分離しているかを認識することによって、タグリーダ４０５にタグ本体部４０４又はタグ断片部４０３から送信する情報を変更可能な状態認識タグを用いる例である。
【００４７】
状態認識タグの構成例を図６に示す。
【００４８】
図６の例の状態認識タグは、タグ本体部４０４と、タグ本体部４０４に接続可能なタグ断片部４０３とより大略構成する。タグ本体部４０４は、タグ本体部４０４に電力を供給するアンテナ６０３と、アンテナ６０３に接続された論理積回路６０４と、論理積回路６０４に接続されかつ情報を記録するＩＣチップ６０５とを備えている。タグ断片部４０３は、タグ断片部４０３に電力を供給するアンテナ６０６と、アンテナ６０６に接続された否定論理積回路６０７と、否定論理積回路６０７に接続されかつ情報を記録するＩＣチップ６０８とを備えている。タグ本体部４０４とタグ断片部４０３とは分離位置６０９で分離又は結合可能なっている。タグ本体部４０４とタグ断片部４０３とは、それぞれ、導線を伝って電力の供給が行われる。
【００４９】
タグ本体部４０４のＩＣチップ６０５は、タグ本体部４０４とタグ断片部４０３が分離位置６０９で結合しているときにタグリーダ４０５に送信すべき情報が記録されており、タグ断片部４０３のＩＣチップ６０８は、タグ断片部４０３がタグ本体部４０４から分離位置６０９で分離しているときにタグリーダ４０５に送信すべき情報が記録されている。
【００５０】
タグ本体部４０４に関して、タグ断片部４０３が分離位置６０９で結合しているときは、双方のアンテナ６０３、６０６から電力が供給されるため、論理積回路６０４を通してＩＣチップ６０５に電力が供給される。
【００５１】
タグ本体部４０４に関して、タグ断片部４０３が分離位置６０９で分離しているときは、アンテナ６０３のみから電力が供給されるため、論理積回路６０４を通してＩＣチップ６０６には電力が供給されない。
【００５２】
タグ断片部４０３に関して、タグ断片部４０３が分離位置６０９で結合しているときは、双方のアンテナ６０３、６０６から電力が供給されるため、否定論理積回路６０７を通してＩＣチップ６０８には電力が供給されない。
【００５３】
タグ断片部４０３に関して、タグ断片部４０３が分離位置６１１で分離しているときは、アンテナ６０６のみから電力が供給されるため、否定論理積回路６０７を通してＩＣチップ６０８に電力が供給される。
【００５４】
図７は図６に示した状態認識タグの結合分離例である。タグ本体部７０１にタグ断片部７０２を差し込むことによって、タグ本体部７０１とタグ断片部７０２に設けられた導電部材７０３が接触し、互いに電力を供給し合うことが可能となる。その結果、各論理積回路６０４，６０７を通して、タグ本体部７０１とタグ断片部７０２とが結合しているときと分離しているときで電力を供給するＩＣチップ６０５，６０８を変更できる。つまり、タグリーダ４０５に送信する情報をタグ本体部７０１とタグ断片部７０２が結合しているか分離しているかによって自由に変更することが可能となる。
【００５５】
このように、図４の前記状態認識タグを用いるコンセントプラグシステムは、プラグ４０１と、コンセント４０２と、プラグ４０１に備えられたタグ断片部４０３と、コンセント４０２に備えられたタグ本体部４０４と、コンセント４０２に備えられたタグリーダ４０５と、コンセント４０２に備えられた報知部４０６と、コンセント４０２に備えられた制御部４０７と、それぞれの接続端子とタグ断片部４０３又はタグ本体部４０４とを電気的に絶縁させる非導電部材４０８とを備えて構成されている。
このような構成によれば、図５（ａ）の左側に示すように、プラグ４０１がコンセント４０２から離れているとき、又は、プラグ４０１がコンセント４０２に完全に差し込まれていないとき、タグ断片部４０３はタグ本体部４０４と分離しているため、プラグ４０１がコンセント４０２に完全に差し込まれていないという情報を、タグ断片部４０３のＩＣチップ６０８からタグリーダ４０５に送信することになる。プラグ４０１のタグ断片部４０３のＩＣチップ６０８から、プラグ４０１がコンセント４０２に完全に差し込まれていないという情報をタグリーダ４０５が受け取ると、タグリーダ４０５は制御部４０７にその情報を出力する。そして、制御部４０７は、タグリーダ４０５からの情報を基に、報知部４０６を動作制御して、報知部４０６は使用者に対して警告を発し、コンセント４０２に完全に差し込まれていないプラグがあることを知らせる。
【００５６】
一方、図５（ａ）の右側及び図５（ｂ）に示すように、プラグ４０１がコンセント４０２に完全に差し込まれているとき、タグ本体部４０４はタグ断片部４０３と結合しているため、プラグ４０１がコンセント４０２に完全に差し込まれているという情報を、タグ本体部４０４のＩＣチップ６０５からタグリーダに送信する。コンセント４０２のタグ本体部４０４のＩＣチップ６０５から、プラグ４０１がコンセント４０２に完全に差し込まれているという情報をタグリーダ４０５が受け取ると、タグリーダ４０５は制御部４０７にその情報を出力する。そして、タグリーダ４０５からの情報を基に、制御部４０７は報知部４０６を報知動作制御することはない。
【００５７】
ここで、前記状態認識タグに図６に記載の構成例を用いると、タグ本体部４０４とタグ断片部４０３とが接触することで結合する前記分離位置６０９にあたる接触面の電気的に導通させる導通部６０９ａには、導電率の高い銀や銅などの導電部材が配置されて電気的に接続されることが望ましい。
【００５８】
また、プラグ４０１において、タグ断片部４０３にタグ本体部４０４以外から電力が伝わらないように、タグ断片部４０３の周りを樹脂やガラスなどの非導電部材４０８で構成することが望ましい。
【００５９】
同様に、コンセント４０２において、タグ断片部４０３にタグ本体部４０４以外から電力が伝わらないように、タグ断片部４０３が通過する部分を非導電部材４０８で構成することが望ましい。
【００６０】
以上により、プラグ４０１がコンセント４０２に差し込まれていないときには、タグリーダ４０５は反応せず、制御部４０７は報知部４０６を制御することはない。
【００６１】
ここで、前記実施形態及び前記変形例において、報知部２０８，４０６をアラーム（アラーム音を発生させる警告音発生装置）としてコンセント２０２，４０２毎に設置しておくことで、使用者は、どこのコンセント２０２，４０２にあるプラグ２０１，４０１が完全に差し込まれていないのかを簡単に把握することができる。また、報知部４０６をランプ又はＬＥＤとしてコンセント２０２，４０２に毎に設置しておくことで、使用者は、どこにあるプラグ２０１，４０１が完全に差し込まれていないのかを簡単に把握することができる。また、報知部４０６をアラーム（アラーム音を発生させる警告音発生装置）として部屋毎に設置しておくことで、使用者は、家屋内のどこにいてもコンセント２０２，４０２に完全に差し込まれていないプラグ２０１，４０１があることを知ることができる。また、報知部４０６はランプ又はＬＥＤとし部屋毎に設置しておくことで、使用者は、家屋内のどこにいてもコンセント２０２，４０２に完全に差し込まれていないプラグ２０１，４０１があることを知ることができる。また、報知部４０６をテレビに接続しておき、報知部４０６により文字映像としてテレビの映像中にテロップとして警告表示するようにすれば、コンセント２０２，４０２に完全に差し込まれていないプラグ２０１，４０１があることを使用者に通知することができる。さらに、報知部４０６を無線通信機とし、使用者の携帯電話の着信、メール受信とし制御部４０７が前記携帯電話に通信、またはメールを送信することで、使用者は、外出時にもコンセント２０２，４０２に完全に差し込まれていないプラグ２０１，４０１があることを知ることができる。
【００６２】
これによって、使用者は急に機器の電源を落とされることなく、また火災を未然に防ぐものでもなく、日々の火災予防としてコンセント２０２，４０２に完全に差し込まれていないプラグ２０１，４０１を検出することができる。
【００６３】
なお、図５（ａ）の右側及び図５（ｂ）には、コンセント４０２にプラグ４０１が完全に差し込まれている状態を示している。図５（ａ）の右側の図は、コンセント４０２とプラグ４０１を横から見た図であり、図５（ｂ）はコンセント４０１とプラグ４０２は上から見た断面図となっている。
【００６４】
図８Ａは第１実施形態のさらに別の変形例にかかるコンセントプラグシステムであり、プラグには何ら特別な部材を備える必要はなく、かつ、前記接続状態検出部に前記と類似する状態認識タグを用いる例である。
【００６５】
本システムは、電気機器側備えられかつ一対の電気的接続端子８０１ａを有して第１接続部の別の例として機能するプラグ８０１と、プラグ８０１の一対の電気的接続端子８０１ａがそれぞれ差し込まれる一対の差し込み口８０２ｂを有するとともに、それぞれの差し込み口８０２ｂ内に、それぞれの電気的接続端子８０１ａが電気的に接続可能な電気的接続端子８０２ａを有して両方の接続端子８０１ａ，８０２ａが接触することにより電気的接続が行われて電力をプラグ８０１に供給する、第２接続部の別の例としてのコンセント８０２と、コンセント８０２に対するプラグ８０１の接続状態を検出する状態認識タグシステムと、状態認識タグシステムでの検出結果が入力される制御部８０４と、制御部８０４により動作制御される報知部８０５とを備えて構成されている。
【００６６】
前記状態認識タグシステムは、コンセント８０２の差し込み口８０２ｂの近傍でかつプラグ差し込み方向沿いに配置されかつ制御部８０４に検出結果を出力するタグリーダ８０３と、コンセント８０２内でプラグ８０１により移動可能に配置されたタグ本体部８０６と、コンセント８０２内の最奥部に固定された第１タグ断片部８０７と、コンセント８０２内の最奥部と差し込み口８０２ｂとの中間部に固定された第２タグ断片部８０８と、タグ本体部８０６とコンセント８０２の差し込み口８０２ｂの周囲部分との間に配置された伸縮部材８０９とを備えている。
【００６７】
ここで、伸縮部材８０９は、非導電性のゴムやバネなどであることが好ましく、伸縮部材８０９は、タグ本体部８０６を固定した係合突起部８０６Ａとコンセント８０２の差し込み口８０２ｂの周囲の内壁８０２ｃとを繋いで配置され、常時、係合突起部８０６Ａが内壁８０２ｃに接触又は接近する方向に付勢するようにしている。
【００６８】
以下、この構造を詳細に説明する。
【００６９】
図２０Ａ、図２０Ｂ、図２０Ｃ、図２１は、係合突起部８０６Ａとコンセント８０２の接続に関する構造を表した一例である。図２０Ｂは、図２０Ａの切断線Ｉ−Ｉで切断した断面側面図、図２０Ｃは、図２０Ａの切断線ＩＩ−ＩＩで切断した断面側面図であり、図２１（ａ），（ｂ），（ｃ），（ｄ）は、図２０Ｂの切断線ＩＩＩ−ＩＩＩ、ＩＶ−ＩＶ、Ｖ−Ｖ、ＶＩ−ＶＩでそれぞれ切断した断面正面図である。
【００７０】
コンセント８０２の内部上面の内壁には、非導電部材より構成される縦断面矩形のレール支持部材８１１がプラグ差し込み方向沿いに固定され、レール支持部材８１１の下端面にはレール支持部材８１１と直交するように、非導電部材より構成される断面矩形のレール８１２が固定されて、レール部８１３を構成している。よって、レール部８１３には、コンセント８０２から電流が流れないようになっている。レール８１２には、図２０Ｂ，図２０Ｃに示すように、差し込み口８０２ｂ側から順に、第２タグ断片部８０８と第１タグ断片部８０７とを互いに電気的に絶縁させかつコンセント８０２の接続端子８０２ａに対してもそれぞれ電気的に絶縁させた状態で支持している。よって、タグ断片部Ａ８０７とタグ断片部Ｂ８０８の間には、レール８１２を構成する非伝導物質が挟まれており、タグ本体部８０６にタグ断片部Ａ８０７とタグ断片部Ｂ８０８が同時に結合できないようになっている。
【００７１】
レール８１２を囲むように断面Ｃ字状の係合突起部８０６Ａが、レール８１２の長手方向（プラグ差し込み方向）沿いに進退自在に係合して吊り支持されている。係合突起部８０６Ａには、タグ本体部８０６を有するとともに、タグ本体部８０６にコンセント８０２から電流を流さないような非伝導物質でタグ本体部８０６を覆うように構成され、かつ、前記したように、伸縮部材８０９によってコンセント８０２の差し込み口８０２ｂの周囲の内壁８０２ｃに繋いでいる。係合突起部８０６Ａは、非伝導物質の係合突起部８０６Ａがプラグ８０１の電気的接続端子８０１ａにより押し込まれることによって伸縮部材８０９が伸び、レール８１２で案内されながらコンセント８０２の内部へとスライドする。プラグ８０１の電気的接続端子８０１ａが差し込み口８０２ｂから抜かれると、係合突起部８０６Ａは伸びていた伸縮部材８０９が縮むことによって元のコンセント８０２の差し込み口８０２ｂの近傍の位置まで戻ってくる。
【００７２】
図１１は、図８Ａの構成を用いるコンセントプラグシステムのフローチャートである。
【００７３】
プラグ８０１がコンセント８０２に全く差し込まれていないとき、図８Ａに示すように伸縮部材８０９は縮んでおり、タグ本体部８０６は第１タグ断片部８０７にも第２タグ断片部８０８にも結合していないため、タグリーダ８０３には何も情報を送信しない（ステップＳ１１０１でＮｏの場合となる）。すなわち、この状態では、図８Ｂに示すように、タグ本体部８０６単体、第１タグ断片部８０７単体、第２タグ断片部８０８単体のいずれからも、タグリーダ８０３には情報を送信しないため、制御部８０４は報知部８０５に対して何ら報知動作制御はしない。このとき、コンセント８０２とプラグ８０１との間には火災の危険性は無く、制御部８０４は報知部８０５を報知動作制御しない。
【００７４】
なお、ステップＳ１１０１でタグ本体部８０６が第２タグ断片部８０８に結合していない場合には、ステップＳ１１０４に進み、制御部８０４により、報知部８０５が報知をしていた場合にはその報知を停止させる。これは、たとえば、プラグ８０１をコンセント８０２に奥まで完全に差し込んでいない状態から、プラグ８０１をコンセント８０２から抜き出したとき、タグ本体部８０６が第２タグ断片部８０８に一旦結合したのちタグ本体部８０６が第２タグ断片部８０８から分離されることになる。このような場合には、後述するように、制御部８０４により報知部８０５が動作制御されて報知動作を行っているので、その報知を停止させるようにする。
【００７５】
プラグ８０１がコンセント８０２に差し込まれることにより、タグ本体部８０６を有する係合突起部８０６Ａが、プラグ８０１の先端によりコンセント８０２の奥側に押し込まれて、タグ本体部８０６が、順に、第１タグ断片部８０７、第２タグ断片部８０８と結合して電気的に接続する（ステップＳ１１０１、Ｓ１１０２）。
【００７６】
図９は、プラグ８０１をコンセント８０２に奥まで完全に差し込んでいない場合や、プラグ８０１をコンセント８０２に差し込んだ後にコードの重みなどによって自然とプラグ８０１がコンセント８０２から抜けかかった場合など、プラグ８０１がコンセント８０２に中途半端に差し込まれ、伸縮部材８０９が伸び、タグ本体部８０６が、第２タグ断片部８０８と結合している状態を表している。この状態では、図８Ｂに示すように、タグ本体部８０６は第２タグ断片部８０８とのみ結合しているため、第２タグ断片部８０８のＩＣチップ（例えば、図６においてタグ本体部４０４と結合してるタグ断片部４０３のＩＣチップ６０８に相当するＩＣチップ）からタグリーダ８０３に情報（プラグ８０１がコンセント８０２に完全に差し込まれていないという情報）を送信する（ステップＳ１１０１でＹｅｓの場合でかつステップＳ１１０２でＮｏの場合となる）。このとき、コンセント８０２とプラグ８０１との間には火災の発生が懸念されるため、送信された情報を基に制御部８０４は報知部８０５に対して動作制御を行い、プラグ８０１がコンセント８０２に不完全に差し込まれている旨の報知動作を行わせる（ステップＳ１１０３）。
【００７７】
図１０は、プラグ８０１がコンセント８０２に完全に差し込まれ、伸縮部材８０９が最大限に伸び、タグ本体部８０６が、第１タグ断片部８０７と結合している状態を表している。この状態では、図８Ｂに示すように、タグ本体部８０６と第１タグ断片部８０７とが結合しているため、第１タグ断片部８０７のＩＣチップ（例えば、図６においてタグ本体部４０４と結合してるタグ断片部４０３のＩＣチップ６０８に相当するＩＣチップ。ただし、先の第２タグ断片部８０８のＩＣチップとは別の情報を持っているＩＣチップ）からタグリーダ８０３に情報（プラグ８０１がコンセント８０２に完全に差し込まれているという情報）を送信し（ステップＳ１１０１でＹｅｓの場合でかつステップＳ１１０２でＹｅｓの場合となり）、このとき、コンセント８０２とプラグ８０１との間には火災の危険性は極めて低いため、送信された情報を基に、制御部８０４は報知部８０５に対して報知動作制御を行わないとともに、ステップＳ１１０４で、制御部８０４により、報知部８０５による報知動作を停止させる。
【００７８】
逆に、プラグ８０１がコンセント８０２から抜かれると、伸縮部材８０９が縮み、図８Ａの状態に戻るとともに、このように抜かれた状態では、図８Ｂに示すように、タグ本体部８０６単体、第１タグ断片部８０７単体、第２タグ断片部８０８単体のいずれからも、タグリーダ８０３には情報を送信しないため、制御部８０４は報知部８０５に対して何ら報知動作制御はしないとともに、ステップＳ１１０４で、制御部８０４により、報知部８０５による報知動作をしていた場合にはその報知動作を停止させる。
【００７９】
このような構成によると、プラグ８０１に関して新たに磁石やタグを取り付ける必要はなく、既存のコンセントを前記構造のコンセント８０２に交換するだけで良いため、使用者は、従来から使用していたプラグをそのまま継続して使用することが可能である。
【００８０】
なお、図２、図４、図８に示したコンセントプラグシステムの構成は一例であり、本発明はこれに限定されるものではなく、その他の構成によっても実現可能である。
（第２実施形態）
次に、図１２は本発明の第２実施形態にかかるコンセントプラグシステムのブロック図である。
【００８１】
本システムは、電気機器側備えられかつ第１接続部の別の例としてのプラグ１２０１（プラグ１０１に相当。）と、プラグ１２０１が差し込まれて電気的接続が行われて電力をプラグ１２０１に供給する、第２接続部の別の例としてのコンセント１２０２（コンセント１０２に相当。）と、コンセント１２０２に備えられかつ電源１２０６Ａからコンセント１２０２への電力の供給を遮断可能に制御する導通制御部１２０６と、コンセント１２０２に対するプラグ１２０１の接続状態を検出する接続状態検出部１２０３と、接続状態検出部１２０３による検出結果が入力される制御部１２０５と、検出結果に基づき制御部８０４により動作制御される報知部１２０４とを備えて構成される。
【００８２】
接続状態検出部１２０３は、コンセント１２０２に対するプラグ１２０１の差し込み具合を検出し、その結果を制御部１２０５に出力する。
【００８３】
制御部１２０５は、接続状態検出部１２０３からの出力に基づいて報知部１２０４と導通制御部１２０６の制御を行う。
【００８４】
図１３は、第２実施形態にかかるコンセントプラグシステムの具体的な構成例を示す図であり、前記接続状態検出部１２０３に、タグ１３０３とタグリーダ１３０４，１３０５とタイマー１３１０を用いる例である。
【００８５】
すなわち、本システムは、プラグ１２０１に相当するプラグ１３０１と、コンセント１２０２に相当するコンセント１３０２と、報知部１２０４に相当する報知部１３０８と、制御部１２０５に相当する制御部１３０９と、接続状態検出部１２０３に相当するタグ１３０３とタグリーダ１３０４，１３０５とタイマー１３１０とを備えて構成される。
【００８６】
プラグ１３０１は、コンセント１３０２の一対の接続端子１３０２ａに接続可能な一対の接続端子１３０１ａの少なくとも一方の接続端子１３０１ａの先端にタグ１３０３を備えている。
【００８７】
コンセント１３０２は、コンセント１３０２の差し込み口１３０２ｂの近傍でかつプラグ差し込み方向沿いにそれぞれ隣接して配置されかつ制御部１３０９に検出結果を出力する第１タグリーダ１３０４と第２タグリーダ１３０５とが配置されているとともに、接続端子１３０２ａに対する電源１３０２ｃからの電力の供給を遮断可能な導通制御部の一例であるスイッチ１３１１とを備えている。
【００８８】
このように、タグ１３０３をプラグ１３０１の先端に設置し、第１タグリーダ１３０４をプラグ１３０１の差し込まれる奥に設置し、第２タグリーダ１３０５をプラグ１３０１の差し込まれる差し込み口に設置しておくことにより、第１タグリーダ反応域１３０６は、プラグ１３０１がコンセント１３０２に完全に差し込まれているときに第１タグリーダ１３０４がタグ１３０３に反応する部分となり、この部分で第１タグリーダ１３０４がタグ１３０３に反応することにより、第１タグリーダ１３０４は、プラグ１３０１がコンセント１３０２に完全に差し込まれているという情報を制御部１３０９に出力する。ここでは、一例として、タグ１３０３に内蔵されたＩＣチップの情報を第１タグリーダ１３０４が読み取れた場合には、その情報は、プラグ１３０１がコンセント１３０２に完全に差し込まれているという情報として、制御部１３０９に出力する。第２タグリーダ反応域１３０７は、プラグ１３０１がコンセント１３０２に差し込まれてはいるが、完全に差し込まれていないときに第２タグリーダ１３０５がタグ１３０３に反応する部分となり、この部分で第２タグリーダ１３０５がタグ１３０３に反応することにより、第２タグリーダ１３０５はプラグ１３０１がコンセント１３０２に中途半端に差し込まれているという情報を制御部１３０９に出力する。ここでは、一例として、タグ１３０３のＩＣチップの前記情報を第２タグリーダ１３０５が読み取れた場合には、その情報は、プラグ１３０１がコンセント１３０２に中途半端に差し込まれているという情報として、制御部１３０９に出力する。
【００８９】
タイマー１３１０は、プラグ１３０１がコンセント１３０２に中途半端に差し込まれている期間、つまり第２タグリーダ１３０５から情報を受け取っている期間を計測し、制御部１３０９に出力する。
【００９０】
制御部１３０９に第１タグリーダ１３０４から出力があった場合、プラグ１３０１はコンセント１３０２に完全に差し込まれていることを示しているため、制御部１３０９は、報知部１３０８を報知動作制御することがないとともに、スイッチ１３１１をオフ動作制御することもない。ただし、報知部１３０８により報知動作されていた場合には、その報知動作を停止させる。また、スイッチ１３１１によりオフ動作されていた場合には、そのオフ動作を停止してオン動作に切り替えて電力をコンセント１３０２に供給するようにする。
【００９１】
制御部１３０９に第２タグリーダ１３０５から出力があった場合、プラグ１３０１はコンセント１３０２に完全に差し込まれていないことを示しているため、制御部１３０９は、まず報知部１３０８を制御し、報知部１３０８は使用者に対して、完全に差し込まれていないプラグ１３０１があることを知らせる。
【００９２】
その後、タイマー１３１０で計測した、プラグ１３０１がコンセント１３０２に完全に差し込まれていない期間がある一定の期間を越えたと制御部１３０９が判断した場合、制御部１３０９はスイッチ１３１１を制御し、コンセント１３０２に対する電源１３０２ｃからの導通を遮断して、コンセント１３０２に対する電力の供給を停止させる。ここでは、導通制御部の一例としてスイッチ（開閉器）１３１１を用いているが、これに限定されるものではなく、その他の構成によっても実現可能である。ここで、制御部１３０９が導通を遮断するまでの期間は予め設定されているものとするが、例えば図１３の構成を用いると、プラグ１３０１に備え付けられたタグ１３０３に導通を遮断するまでの期間の情報を記録し、その情報を第２タグリーダ１３０５が読み込むことも可能である。つまり、この図１３の構成に、タグ１３０３に導通遮断時間を書き込むタグライタを追加することによって、使用者が導通を遮断するまでの期間を自由に設定することが可能となる。同様に、報知部１３０８で報知するまでの時間を設定することも可能である。なお、導通が遮断されても第２タグリーダ１３０５からの出力がなくなった場合、再び制御部１３０９により導通制御部１３１１を制御し導通を再開することが可能である。
【００９３】
ここで、制御部１３０９に第１タグリーダ１３０４と第２タグリーダ１３０５から出力があった場合は、プラグ１３０１はコンセント１３０２に完全に差し込まれているものとして、制御部１３０９は報知部１３０８、スイッチ１３１１を制御しない。
【００９４】
図１４は図１３の構成を用いる第２実施形態にかかるコンセントプラグシステムのフローチャートである。
【００９５】
プラグ１３０１がコンセント１０３２に全く差し込まれていないとき、第１タグリーダ１３０４、第２タグリーダ１３０５ともにプラグ１０３１に備え付けられたタグ１３０３を検出することはなく、制御部１３０９に対して何も出力することはない（ステップＳ１４０１及びＳ１４０２）。このとき、制御部１３０９は報知部１３０８が作動中ならこれを停止し、導通制御部であるスイッチ１３１１がオフならオンにする（ステップＳ１４０９）。
【００９６】
プラグ１３０１をコンセント１３０２の奥まで完全に差し込んでいない場合や、プラグ１３０１をコンセント１３０２に差し込んだ後にコードの重みなどによって自然とプラグ１３０１がコンセント１３０２から抜けかかった場合など、プラグ１３０１がコンセント１３０２に中途半端に差し込まれている状態にあるとき、第２タグリーダ１３０５のみがプラグ１３０１に備え付けられたタグ１３０３を検出し、制御部１３０９に対しタグ情報を出力する（ステップＳ１４０１でＹｅｓでかつステップＳ１４０２でＮｏの場合となる）。その後、制御部１３０９はタイマー１３１０により第２タグリーダ１３０５からのみタグ情報の出力がある時間を測定する。もし、タグ情報の報知時間（例えば３秒）以内に第２タグリーダ１３０５からのタグ情報の出力が無くなったか（ステップＳ１４０３でＹｅｓの場合となる）、第１タグリーダ１３０４からのタグ情報の出力があった場合（ステップＳ１４０３でＮｏでかつステップＳ１４０４でＹｅｓの場合）は、プラグ１３０１がコンセント１３０２に差し込まれていないときか、プラグ１３０１がコンセント１３０２に完全に差し込まれているときなので、Ｓ１４０９に進み、制御部１３０９は報知部１３０８が作動中ならこれを停止し、導通制御部であるスイッチ１３１１がオフならオンにする（ステップＳ１４０９）。
【００９７】
ここで、第２タグリーダ１３０５からのみタグ情報が制御部１３０９に出力されている時間がタグ情報の報知時間（例えば３秒）を過ぎた場合（ステップＳ１４０３でＮｏでかつステップＳ１４０４でもＮｏの場合）、制御部１３０９が報知部１３０８を制御し、使用者にコンセント１３０２とプラグ１３０１が完全に差し込まれていないことを報知する（ステップＳ１４０５）。その後引き続き、制御部１３０９はタイマー１３１０により第２タグリーダ１３０５からのみタグ情報の出力がある時間を計測する。もし、タグ情報の導通遮断時間（例えば５分）以内に第２タグリーダ１３０５からのタグ情報の出力が無くなったか（ステップＳ１４０６でＹｅｓの場合となる）、第１タグリーダ１３０４からのタグ情報の出力があった場合（ステップＳ１４０６でＮｏでかつステップＳ１４０７でＹｅｓの場合）はプラグ１３０１がコンセント１３０２に差し込まれていないときか、プラグ１３０１がコンセント１３０２に完全に差し込まれているときなのでＳ１４０９に進み、制御部１３０９は報知部１３０８が作動中ならこれを停止し、導通制御部であるスイッチ１３１１がオフならオンにする（ステップＳ１４０９）。
【００９８】
ここで、第２タグリーダ１３０５からのみタグ情報が制御部に出力されている時間がタグ情報の導通遮断時間（例えば５分）を過ぎた場合（ステップＳ１４０６でＮｏでかつステップＳ１４０７でもＮｏの場合）、制御部が導通制御部であるスイッチ１３１１をオンからオフに切り替え制御し、プラグ１３０１に電力を伝わらなくする（ステップＳ１４０８）。
【００９９】
プラグ１３０１がコンセント１３０２に完全に差し込まれているとき（ステップＳ１４１１）、第１タグリーダ１３０４がプラグ１３０１に備え付けられたタグ１３０３を検出し、制御部１３０９に対しタグ情報を出力する（ステップＳ１４０１でＹｅｓでかつステップＳ１４０２でＹｅｓの場合、又は、ステップＳ１４０１でＮｏの場合となる）。このとき、制御部１３０９は報知部１３０８が報知動作中ならこれを停止し、導通制御部であるスイッチ１３１１がオフならオンにする（ステップＳ１４０９）。
【０１００】
この第２実施形態によれば、プラグ１３０１がコンセント１３０２に不完全に差し込まれているとき、使用者は、導通が遮断される前にある一定の期間警告を受けることができるため、冷蔵庫の食品保存やビデオの番組録画など一時でも電源が切れて欲しくない機器に対して有用である。
【０１０１】
また、この構成からすると、タグ１３０３を使用していることから、プラグ１３０１をコンセント１３０２に差し込んでいないと前記制御部１３０９によって前記導通制御部の一例であるスイッチ１３１１を制御し、導通させないようにすることも可能である。これにより、誤って金属をコンセント１３０２内に差し込んでしまっても感電することがなくなる。
【０１０２】
なお、図１３に示したコンセントプラグシステムの構成は一例であり、本発明はこれに限定されるものではなく、その他の構成によっても実現可能である。
（第３実施形態）
図１５は、本発明の第３実施形態にかかるコンセントプラグシステムのブロック図である。
【０１０３】
本システムは、第１接続部の別の例としてのプラグ１５０２と機器を動作制御する機器制御部１５０３を備えた機器１５０１と、電源１５０５Ａからの電力の供給を遮断可能に制御する導通制御部１５０５を備えかつプラグ１５０１が差し込まれて電気的接続が行われて電力をプラグ１５０１に供給する、第２接続部の別の例としてのコンセント１５０４と、コンセント１５０２に対するプラグ１５０４の接続状態を検出する接続状態検出部１５０６と、接続状態検出部１５０３による検出結果が入力される制御部１５０７と、検出結果に基づき制御部１５０５により動作制御される報知部１５０８とを備えて構成される。
【０１０４】
接続状態検出部１５０６は、コンセント１５０４に対するプラグ１５０２の差し込み具合を検出し、その結果を制御部１５０７に出力する。
【０１０５】
接続状態検出部１５０６から出力された情報を基に、制御部１５０７は、機器制御部１５０３と、導通制御部１５０５と、報知部１５０８の動作制御を行う。
【０１０６】
図１６は、第３実施形態に記載のコンセントプラグシステムの具体的な構成例を示す図であり、機器に冷蔵庫１６０１、制御部にサーバ１６０４と携帯端末機１６１０を用いる例である。
【０１０７】
本システムは、冷蔵庫１６０１の動作制御を行う機器制御部１６０９と機器情報が記録されているタグ１６０６Ｂを備え付けたプラグ１６０５Ｂを備えた冷蔵庫１６０１と、一例としてスイッチより構成される導通制御部１６０８と接続状態検出部の一例としてタグリーダ１６０７Ａ，１６０７Ｂを備えたコンセント１６０２と、接続状態検出部１６０７からの情報を受け取り、報知部１６０３と機器制御部１６０９の制御を行うサーバ１６０４と、サーバ１６０４と交信し、現在の接続状態を使用者が把握可能でかつ、報知部１６０３と機器制御部１６０９の制御方法を決定入力可能な携帯端末機１６１０とを備えて構成される。
【０１０８】
なお、前記接続状態検出部には、一例として、図１３で説明したタグ１３０３と第２及び第１タグリーダ１３０５，１３０４にそれぞれ相当するタグ１６０６Ｂと第２及び第１タグリーダ１６０７Ｂ，１６０７Ａの構成を用いるものとし、ここでの詳細な説明は省略する。また、図１６において、参考のため、プラグ１６０５Ａはコンセント１６０２に完全に接続された状態を示しており、第１タグリーダ１６０７Ａが、プラグ１６０５Ａの先端のタグ１６０６Ａに反応してタグ情報を出力している状態を示している。
【０１０９】
図１７は、図１６の構成を用いる第３実施形態にかかるフローチャートである。
【０１１０】
冷蔵庫１６０１のプラグ１６０５Ｂがコードの重みなどにより自然とコンセント１６０２から少し外れたとする。すると、プラグ１６０６Ｂがコンセント１６０２に完全に差し込まれていないという情報を出力する接続状態検出部である第２タグリーダ１６０７Ｂがタグ１６０６Ｂに反応してタグ情報が出力されかつ第１タグリーダ１６０７Ａがタグ１６０６Ｂに反応せずにタグ情報が出力されないため（ステップＳ１７０１でＹｅｓでかつステップＳ１７０２でＮｏとなるため）、「コンセントに差し込まれている冷蔵庫のプラグが抜けかかっている」という前記タグ情報をサーバ１６０４に出力する（ステップＳ１７０３）。その後、前記タグ情報を受け取ったサーバ１６０４が、使用者の所持する携帯端末機１６１０に電子メールなどでその旨を通知する（ステップＳ１７０４）。
【０１１１】
前記使用者が、前記情報に基づき、そのままでは危険であると判断すれば、携帯端末機１６１０からサーバ１６０４を通し、サーバ１６０４に接続されたコンセント１６０２の導通制御部１６０９を遮断制御して、コンセント１６０２と冷蔵庫１６０１との導通、すなわち、コンセント１６０２から冷蔵庫１６０１への電力の供給を遮断することができる（ステップＳ１７０７及びＳ１７０８）。又は、これに代えて、携帯端末機１６１０からサーバ１６０４を通し、サーバ１６０４に接続された機器制御部１６０９を動作制御し、冷蔵庫１６０１の電源を切ることもできるし、省電力で済むような弱冷蔵に切り替えることも可能である（ステップＳ１７０９、ステップＳ１７１０）。しかし、食品管理のため冷蔵庫１６０１の電源を切りたくないとすると携帯端末機１６１０からサーバ１６０４を通し、報知部１６０３を制御することによって、他の人に、コンセント１６０２に差し込まれている冷蔵庫１６０１のプラグ１６０５Ｂが抜けかかっていることを知らせることも可能である（ステップＳ１７０５、ステップＳ１７０６）。
【０１１２】
プラグ１６０５Ｂがコンセント１６０２に差し込まれていない場合や、プラグ１６０５Ｂがコンセント１６０２に完全に差し込まれているとき（ステップＳ１７０１でＮｏ、又は、ステップＳ１７０１でＹｅｓでかつステップＳ１７０２でもＹｅｓの場合）は、サーバ１６０４により、報知部１６０３が報知作動中ならこれを停止し、導通制御部であるスイッチ１６０８がオフならオンにする（ステップＳ１７１１）。
【０１１３】
更に、先の実施形態で使用したタイマーを本実施形態のシステムに組み込むことによって、コンセント１６０２にプラグ１６０６Ｂが完全に差し込まれていない期間がある一定の期間を過ぎた場合にのみ、サーバ１６０４を通し、使用者の所持する携帯端末機１６１０に電子メールなどで通知することも可能である。
【０１１４】
なお、図１６に示したコンセントプラグシステムの構成は一例であり、本発明はこれに限定されるものではなく、その他の構成によっても実現可能である。
【０１１５】
なお、本発明は前記実施形態に限定されるものではなく、その他種々の態様で実施できる。
【０１１６】
例えば、使用者は、完全に差し込まれていないプラグに関する処理を使用者本人が決定することが可能となるため、プラグが抜けかかっているビデオに関して、録画が終了次第コンセントの導通を遮断することが可能である。この場合はタイマーの設定時間例として、ビデオの録画が終わるまでとすれば良い。
【０１１７】
また、プラグが完全に差し込まれているビデオがもう一台ある場合、前記機器制御部により、そのビデオで録画を行い、プラグが抜けかかっているビデオのコンセントの導通は遮断するということも可能となる。
【０１１８】
前記以外にアンプとマイクの入出力端子にも本発明を適用することができる。
【０１１９】
図１８は、本発明の他の実施形態として、先の実施形態のいずれかのコンセントプラグシステムをアンプ１８０１とマイク１８０２の電気的接続装置に適用した図である。
【０１２０】
図１９は、図１８の構成を用いてアンプとマイクの電気的接続装置に先の実施形態のコンセントプラグシステムを適用した場合のフローチャートである。
【０１２１】
マイク１８０２のプラグ１８０４がコード１８０２Ａの重みなどにより自然とマイク入力端子１８０３から少し外れたとする（ステップＳ１９０１）。すると、アンプ１８０１のマイク入力端子１８０３に配置された接続状態検出部は、プラグ１８０４がマイク入力端子１８０３に中途半端に差し込まれていることを検出し、サーバ１８０８に対して、中途半端に差し込まれている機器（マイク）１８０２の情報を出力する（ステップＳ１９０２）。ここで、接続状態検出部は、例えば前記図４又は図１３で示した方法で実現可能である。すると、サーバ１８０８は、報知部であるスピーカ１８０９を動作制御することで、使用者に対しマイクのプラグが中途半端に差し込まれていることを通知（報知）する。
【０１２２】
プラグ１８０４がマイク入力端子１８０３に差し込まれていない場合や、プラグ１８０４がマイク入力端子１８０３に完全に差し込まれているとき（ステップＳ１９０１）は、サーバ１８０８により、報知部の一例であるスピーカ１８０９が報知作動中なら、これを停止する（ステップＳ１９０４）。
【０１２３】
なお、報知部としては、スピーカ以外にも、使用者が使用している端末機器１８１０や携帯電話などでも良い。
【０１２４】
これにより、コンサートや講演会時にマイク１８０２のプラグ１８０４が外れてしまい、音が出なくなることを未然に防ぐことができる。
【０１２５】
また、同様に、先の実施形態のいずれかのコンセントプラグシステムを、画像配信用ケーブルと、その処理装置との間の接続部に適用することもできる。また、携帯電話と、その充電器ホルダとの間に適用して、携帯電話にタグを備え、充電器ホルダにタグリーダを備えて、携帯電話のストラップが充電器ホルダとの間に挟まって充電不良となるのを未然に防止することもできる。すなわち、要するに、本発明は、電気的に接続される接続部同士の接続部分に適用することができる。
【０１２６】
なお、上記様々な実施形態のうちの任意の実施形態を適宜組み合わせることにより、それぞれの有する効果を奏するようにすることができる。
【産業上の利用可能性】
【０１２７】
本発明のコンセントプラグシステムは、中途半端なプラグの差し込み具合を検出できるので、トラッキング現象などによる火災の予防に有用である。
【図面の簡単な説明】
【０１２８】
【図１】本発明の第１実施形態にかかるコンセントプラグシステムのブロック図である。
【図２】第１実施形態にかかるコンセントプラグシステムの構成例を示す図である。
【図３】第１実施形態にかかるコンセントプラグシステムのフローチャートである。
【図４】第１実施形態の変形例にかかるコンセントプラグシステムの構成例を示す図である。
【図５】（ａ），（ｂ）はそれぞれ第１実施形態の前記変形例にかかるコンセントプラグシステムの構成例を示す図であって、コンセントにプラグを差し込む動作を示す図、及び、コンセントにプラグを完全に差し込んだ状態を示す断面平面図である。
【図６】第１実施形態の前記変形例にかかるコンセントプラグシステムの状態認識タグの構成例を示す図である。
【図７】第１実施形態の前記変形例にかかるコンセントプラグシステムの状態認識タグの結合分離例を示す斜視図である。
【図８Ａ】第１実施形態の別の変形例にかかるコンセントプラグシステムの構成例を示す図である。
【図８Ｂ】図８Ａの第１実施形態の前記別の変形例にかかるコンセントプラグシステムでのタグ状態とタグリーダに送信する情報との関係を示す図である。
【図９】図８Ａの第１実施形態の前記別の変形例にかかるコンセントプラグシステムの構成例を示す図であって、プラグがコンセントに完全に差し込まれていない状態を示す図である。
【図１０】図８Ａの第１実施形態の前記別の変形例にかかるコンセントプラグシステムの構成例を示す図であって、プラグがコンセントに完全に差し込まれている状態を示す図である。
【図１１】図８Ａの第１実施形態の前記別の変形例にかかるコンセントプラグシステムのフローチャートである。
【図１２】本発明の第２実施形態にかかるコンセントプラグシステムのブロック図である。
【図１３】第２実施形態にかかるコンセントプラグシステムの構成例を示す図である。
【図１４】図１３に示す第２実施形態にかかるフローチャートである。
【図１５】本発明の第３実施形態にかかるコンセントプラグシステムのブロック図である。
【図１６】第３実施形態にかかるコンセントプラグシステムの構成例を示す図である。
【図１７】図１６の第３実施形態にかかるフローチャートである。
【図１８】先の実施形態のコンセントプラグシステムをアンプとマイクとの電気的接続装置に適用した図である。
【図１９】図１８の構成を用いてアンプとマイクとの電気的接続装置に先の実施形態のコンセントプラグシステムを適用した場合のフローチャートである。
【図２０Ａ】図８の第１実施形態の別の変形例にかかるコンセントプラグシステムの構成例における正面図である。
【図２０Ｂ】図２０Ａの切断線Ｉ−Ｉで切断した断面側面図である。
【図２０Ｃ】図２０ＡのＩＩ−ＩＩで切断した断面側面図である。
【図２１】（ａ），（ｂ），（ｃ），（ｄ）はそれぞれ図２０Ｂの切断線ＩＩＩ−ＩＩＩ、ＩＶ−ＩＶ、Ｖ−Ｖ、ＶＩ−ＶＩでそれぞれ切断した断面正面図である。
【符号の説明】
【０１２９】
１０１  プラグ
１０２  コンセント
１０３  接続状態検出部
１０４  報知部
１０５  制御部
２０１  プラグ
２０２  コンセント
２０３  磁石
２０４  第１リードスイッチ
２０５  第２リードスイッチ
２０６  第１リードスイッチ反応域
２０７  第２リードスイッチ反応域
２０８  報知部
２０９  制御部
４０１  プラグ
４０２  コンセント
４０３  タグ断片部
４０４  タグ本体部
４０５  タグリーダ
４０６  報知部
４０７  制御部
４０８  非導電部材
６０３、６０６  アンテナ
６０４  論理積回路
６０５、６０８  ＩＣチップ
６０７  否定論理積回路
６０９  分離位置
７０１  タグ本体部
７０２  タグ断片部
７０３  導電部材
８０１  プラグ
８０１ａ  電気的接続端子
８０２  コンセント
８０２ｂ  差し込み口
８０３  タグリーダ
８０４  制御部
８０５  報知部
８０６  タグ本体部
８０７  第１タグ断片部
８０８  第２タグ断片部
８０９  伸縮部材
８１０  非導電部材
８１１  レール支持部材
８１２  レール
８１３  レール部
１２０１  プラグ
１２０２  コンセント
１２０３  接続状態検出部
１２０４  報知部
１２０５  制御部
１２０６  導通制御部
１３０１  プラグ
１３０２  コンセント
１３０２ｃ  電源
１３０３  タグ
１３０４  第１タグリーダ
１３０５  第２タグリーダ
１３０６  第１タグリーダ反応域
１３０７  第２タグリーダ反応域
１３０８  報知部
１３０９  制御部
１３１０  タイマー
１３１１  スイッチ（導通制御部）
１５０１  機器
１５０２  プラグ
１５０３  機器制御部
１５０４  コンセント
１５０５  導通制御部
１５０５Ａ  電源
１５０６  接続状態検出部
１５０７  制御部
１５０８  報知部
１６０１  冷蔵庫
１６０２  コンセント
１６０３  報知部
１６０４  サーバ
１６０５Ａ，１６０５Ｂ  プラグ
１６０６Ａ，１６０６Ｂ  タグ
１６０７Ａ，１６０７Ｂ  接続状態検出部（タグリーダ）
１６０８  導通制御部
１６０９  機器制御部
１６１０  携帯端末機
１８０１  アンプ
１８０２  マイク
１８０３  マイク入力端子
１８０４  プラグ
１８０８  サーバ
１８０９  スピーカ（報知部）
１８１０  端末機器
【図１】
2006073426.tif 000003
【図２】
2006073426.tif 000004
【図３】
2006073426.tif 000005
【図４】
2006073426.tif 000006
【図５】
2006073426.tif 000007
【図６】
2006073426.tif 000008
【図７】
2006073426.tif 000009
【図８Ａ】
2006073426.tif 000010
【図８Ｂ】
2006073426.tif 000011
【図９】
2006073426.tif 000012
【図１０】
2006073426.tif 000013
【図１１】
2006073426.tif 000014
【図１２】
2006073426.tif 000015
【図１３】
2006073426.tif 000016
【図１４】
2006073426.tif 000017
【図１５】
2006073426.tif 000018
【図１６】
2006073426.tif 000019
【図１７】
2006073426.tif 000020
【図１８】
2006073426.tif 000021
【図１９】
2006073426.tif 000022
【図２０Ａ】
2006073426.tif 000023
【図２０Ｂ】
2006073426.tif 000024
【図２０Ｃ】
2006073426.tif 000025
【図２１】
2006073426.tif 000026